【事件の表示】
　特願２００３−３９１３４６「家庭用薄葉紙収納箱積層体」拒絶査定不服審判事件〔平成１７年６月１６日出願公開、特開２００５−１５３８９８〕について、次のとおり審決する。
【結　論】
　本件審判の請求は、成り立たない。
【理　由】
１　手続の経緯
　本願は、平成１５年１１月２０日の出願であって、平成１９年９月１８日付けで拒絶査定がなされ、これに対し、平成１９年１０月２５日に拒絶査定不服審判の請求がなされ、平成１９年１１月２６日付けで特許請求の範囲及び明細書を対象とする手続補正がなされたものである。
　
２　平成１９年１１月２６日付けの特許請求の範囲及び明細書を対象とする手続補正（以下、「本件手続補正」という。）についての補正却下の決定
〔補正却下の決定の結論〕
　本件手続補正を却下する。
〔理由〕
（１）補正後の本願発明
　本件手続補正により、特許請求の範囲の請求項１は、
「【請求項１】　内部に家庭用薄葉紙を収納する家庭用薄葉紙収納箱が底面を下に、上面を上に向けた方向で、複数積層されてフィルムで包装されてなる家庭用薄葉紙収納箱積層体において、
　前記家庭用薄葉紙収納箱は、略直方体形状に形成され、
　前記家庭用薄葉紙収納箱の対向する２つの長側面には、他の家庭用薄葉紙収納箱と異なる第１の図柄が設けられ、当該複数の家庭用薄葉紙収納箱が底面を下に、上面を上に向けた方向で、複数積層された場合に、各家庭用薄葉紙収納箱の前記２つの長側面に設けられた第１の図柄が合わさって全体として一つのまとまりのある第２の図柄が前記２つの長側面に形成され、
　前記各家庭用薄葉紙収納箱の前記２つの長側面に設けられた第１の図柄は、各々一つのまとまりのある図柄となっていることを特徴とする家庭用薄葉紙収納箱積層体。」
と補正された。
　上記補正は、補正前の請求項１に記載された発明を特定する事項である「複数積層」と「積層」について「底面を下に、上面を上に向けた方向で」との限定を付加し、同請求項１に記載された発明を特定する事項である「側面」について「長」との限定を付加し、さらに、同請求項１に記載された発明を特定する事項である「第１の図柄」について「前記各家庭用薄葉紙収納箱の前記２つの長側面に設けられた第１の図柄は、各々一つのまとまりのある図柄となっている」との限定を付加するものであり、しかも、補正後の請求項１に記載された発明と補正前の請求項１に記載された発明の産業上の利用分野及び解決しようとする課題が異なるものではない。
　したがって、上記補正は、平成１８年法律第５５号改正附則第３条第１項によりなお従前の例によるとされる同法による改正前の特許法（以下、「平成１８年改正前特許法」という。）第１７条の２第４項第２号に規定する特許請求の範囲の減縮を目的とするものに該当する。
　そこで、本件手続補正後の上記請求項１に記載された事項により特定される発明（以下、「本願補正発明」という。）が、特許出願の際独立して特許を受けることができるものであるか（平成１８年改正前特許法第１７条の２第５項において準用する同法第１２６条第５項の規定に適合するか）について、以下に検討する。
　
（２）引用例の記載事項
　原査定の拒絶の理由に引用された、本願の出願前に頒布された刊行物である実願昭４７−１１８２８６号（実開昭４９−７２６４２号）のマイクロフィルム（以下、「引用例」という。）には、次の記載がある。
　ａ「所要数個を１組となした箱体の個々に表壁と左右壁と裏壁に亘って同一な模様図形を設けると共にその模様図形が１組の対応数に分割されて夫々の箱体の表壁に配置される様に設定し、さらに１組の箱体のうち１個には表壁に、その他の箱体には裏壁に夫々品名を設けることにより構成した包装箱。」（実用新案登録請求の範囲）
　ｂ「本考案は…物品を包装する箱であって、複数以上の包装箱を隣接並列して外装箱に収容した際に、個々の包装箱に設けられた模様図形が隣接する包装箱の並列面に再び現出することにより装飾効果を高め商品価値を向上するものである。」（明細書１頁１３ないし１８行）
　ｃ「１組の箱体Ｃの夫々に菓子または物品を収容した後にその１組の箱体Ｃを外層箱１３に装填するに際し、模様図形１１が一連で現われる様に模様図形１１の中央部を配置した箱体Ｃの両側へ模様図形１１の両側部を表壁３に配置した箱体Ｃを隣接して並列収容すれば、外装箱１３の表面に模様図形１１が現われると共に中央部に品名１２が位置して美観に秀れ、商品価値を高めるものである。」（同３頁２ないし１０行）
　そして、第１図ないし第３図には、直方体の箱体を展開した状態が図示され、第４図には、箱体の表面に、他の箱体と異なる模様図形が設けられた状態が図示され、第５図には、複数の箱体が並び、各箱体の表面に設けられた模様図形が合わさって、隣接する箱体の並列面に一連の模様が形成されている状態が図示されている。
　以上の記載及び第１図ないし第５図によれば、引用例には、次の発明が記載されていると認められる。
　「直方体の箱体の表面に、他の箱体と異なる模様図形が設けられ、複数の箱体を隣接して並べた場合に、模様図形が合わさって隣接する箱体の並列面に一連の模様が形成される、複数の箱体からなる１組の箱体。」
　
（３）対比
　本願補正発明と引用例記載の発明とを対比すると、引用例記載の発明の「箱体」、「模様図形」及び「一連の模様」は、それぞれ本願補正発明の「箱」、「第１の図柄」及び「全体として一つのまとまりのある第２の図柄」に相当する。
　引用例記載の発明の箱体の「表面」と本願補正発明の箱の「長側面」は、共に、箱の並列面になる面であるといえ、さらに、引用例記載の発明の「複数の箱体からなる１組の箱体」と本願補正発明の「家庭用薄葉紙収納箱積層体」は、共に、「複数の箱からなる１組の箱」といえる。また、本願補正発明において、箱を複数積層することは、箱を複数隣接して並べることでもあるから、両者は、
「複数の箱からなる１組の箱において、箱は略直方体形状に形成され、箱の並列面になる面には、他の箱と異なる第１の図柄が設けられ、複数の箱が複数隣接して並べられた場合に、並列面になる面に設けられた第１の図柄が合わさって全体として一つのまとまりのある第２の図柄が並列面に形成された、複数の箱からなる１組の箱」
である点で一致し、次の点で相違する。
　相違点
　本願補正発明は、複数の箱からなる１組の箱が、内部に家庭用薄葉紙を収納する家庭用薄葉紙収納箱が底面を下に、上面を上に向けた方向で、複数積層されてフィルムで包装されてなる家庭用薄葉紙収納箱積層体であり、並列面になる面が、家庭用薄葉紙収納箱の対向する２つの長側面であって、２つの長側面に他の家庭用薄葉紙収納箱と異なる第１の図柄が設けられ、複数の家庭用薄葉紙収納箱が底面を下に、上面を上に向けた方向で、複数積層された場合に、各家庭用薄葉紙収納箱の２つの長側面に設けられた第１の図柄が合わさって全体として一つのまとまりのある第２の図柄が２つの長側面に形成され、各家庭用薄葉紙収納箱の２つの長側面に設けられた第１の図柄は、各々一つのまとまりのある図柄となっているのに対して、引用例記載の発明は、そのような事項を備えていない点。
　
（４）相違点の検討
　そこで、上記相違点について検討する。
　複数の箱からなる１組の箱として、内部に家庭用薄葉紙を収納する家庭用薄葉紙収納箱が底面を下に、上面を上に向けた方向で、複数積層されてフィルムで包装されてなる家庭用薄葉紙収納箱積層体は、本願の出願前に周知のものである。
　そして、引用例記載の発明は、複数の箱からなる１組の箱において、直方体の箱の並列面になる面に、他の箱と異なる第１の図柄が設けられ、複数の箱が複数隣接して並べられた場合に、並列面になる面に設けられた第１の図柄が合わさって全体として一つのまとまりのある第２の図柄が並列面に形成されるものであって、個々の箱体に設けられた模様図形が隣接する箱体の並列面に再び現出し、装飾効果を高め商品価値を向上させる（記載ｂ参照。）というものであるから、上記周知の家庭用薄葉紙収納箱積層体に、引用例記載の発明を適用して、家庭用薄葉紙収納箱積層体の装飾効果を高め商品価値を向上させようとすることは、当業者であれば容易に思いつくことである。
　その適用の際に、上記周知の家庭用薄葉紙収納箱積層体において、第１の図柄を設ける並列面になる面として、家庭用薄葉紙収納箱の対向する２つの長側面を選択することは、装飾効果を考慮して当業者が適宜なし得ることであり、さらに、各薄葉紙収納箱の長側面に設けられる第１の図柄を、一つのまとまりのある図柄とすることは、家庭用薄葉紙収納箱積層体を構成する各薄葉紙収納箱が個別に使用されるものであることを考慮して、当業者が適宜なし得る程度のことである。
　そうしてみると、周知の家庭用薄葉紙収納箱積層体に、引用例に記載された発明を適用して、薄葉紙収納箱の２つの長側面に第１の図柄を設け、第１の図柄を一つのまとまりのある図柄とし、相違点に係る本願補正発明の事項とすることは、当業者が容易になし得たことといえる。
　しかも、本願補正発明が奏する効果も、引用例記載の発明及び周知のものから当業者が予測できたものであって、格別顕著なものとはいえない。
　したがって、本願補正発明は、引用例記載の発明及び周知のものに基いて、当業者が容易に発明をすることができたものであるから、特許法第２９条第２項の規定により、特許出願の際独立して特許を受けることができないものである。
　
（５）まとめ
　以上のとおり、本件手続補正は、平成１８年改正前特許法第１７条の２第５項において準用する同法第１２６条第５項の規定に違反するものであり、同法第１５９条第１項において読み替えて準用する同法第５３条第１項の規定により却下されるべきものである。
　
３　本願発明について
（１）本願発明
　上記のとおり、本件手続補正は却下されたので、本願の請求項１ないし３に係る発明は、平成１９年２月５日付けの手続補正により補正された特許請求の範囲の請求項１ないし３に記載された事項により特定されるものと認められるところ、請求項１は次のとおり記載されている。
「【請求項１】　内部に家庭用薄葉紙を収納する家庭用薄葉紙収納箱が複数積層されてフィルムで包装されてなる家庭用薄葉紙収納箱積層体において、
　前記家庭用薄葉紙収納箱は、略直方体形状に形成され、
　前記家庭用薄葉紙収納箱の対向する２つの側面には、他の家庭用薄葉紙収納箱と異なる第１の図柄が設けられ、当該複数の家庭用薄葉紙収納箱が積層された場合に、各家庭用薄葉紙収納箱の前記２つの側面に設けられた第１の図柄が合わさって全体として一つのまとまりのある第２の図柄が前記２つの側面に形成されるように構成されていることを特徴とする家庭用薄葉紙収納箱積層体。」
（以下、請求項１に係る発明を、「本願発明１」という。）
　
（２）引用例の記載事項
　原査定の拒絶の理由に引用された引用例及びその記載事項は、上記２（２）に記載したとおりである。
　
（３）対比・検討
　本願発明１は、上記２（１）で検討した本願補正発明から、「複数積層」と「積層」について限定する「底面を下に、上面を上に向けた方向で」との特定事項を省き、「側面」について限定する「長」との特定事項を省き、「第１の図柄」について限定する「前記各家庭用薄葉紙収納箱の前記２つの長側面に設けられた第１の図柄は、各々一つのまとまりのある図柄となっている」との特定事項を省いたものである。
　そうすると、本願発明１を特定する事項を全て含み、さらに他の特定する事項を付加したものに相当する本願補正発明が、上記２（４）に記載したとおり、引用例記載の発明及び周知のものに基いて、当業者が容易に発明をすることができたものであるから、本願発明１も、同様の理由により、引用例記載の発明及び周知のものに基いて、当業者が容易に発明をすることができたものである。
　
（４）むすび
　以上のとおり、本願発明１は、特許法第２９条第２項の規定により特許を受けることができないものであり、他の請求項に係る発明について検討するまでもなく、本願は拒絶されるべきものである。
　よって、結論のとおり審決する。